(57)【要約】 【課題】  キャップの有無に関係なく筆記具に２種類の印鑑を設けることができる印鑑付筆記具を提供するものである。【解決手段】  筆記具本体１の後端に第１印鑑２を設け、該第１印鑑２を覆う筒体４を前記筆記具本体１の後端部に着脱自在に連設してあり、前記筒体４の後端に液浸透印式の第２印鑑３を設けると共に、該第２印鑑３を覆う蓋体５を設けてある。【選択図】    図１
2005169756.tif 000002
【特許請求の範囲】
【請求項１】
筆記具本体の後端に第１印鑑を設け、該第１印鑑を覆う筒体を前記筆記具本体の後端部に着脱自在に連設してあり、前記筒体の後端に液浸透印式の第２印鑑を設けると共に、該第２印鑑を覆う蓋体を設けた印鑑付筆記具。
【請求項２】
前記第１印鑑が訂正印である請求項１に記載の印鑑付筆記具。
【請求項３】
前記第１印鑑が液浸透印である請求項２に記載の印鑑付筆記具。
【請求項４】
前記第１印鑑が認印である請求項１に記載の印鑑付筆記具。
【発明の詳細な説明】
【技術分野】
【０００１】
本発明は、ボールペン等の筆記具に印鑑を設けた印鑑付筆記具に関する。
【背景技術】
【０００２】
従来、ボールペン等の筆記具の後端に液浸透印式の印鑑を設けた印鑑付筆記具は種々知られている。日常業務の作業においては、一般的に使用される認印の他に、極小型の訂正印を使用することも度々あることから、キャップを有する筆記具であって、このキャップの先端に液浸透印式の蓋付認印を設けると共に、筆記具本体の後端に液浸透印式の蓋付訂正印を設けた認印と訂正印を有する筆記具が、本願出願人によって提案されている（特許文献１参照）。
【特許文献１】実開平６−３９４９０号公報
【発明の開示】
【発明が解決しようとする課題】
【０００３】
しかし、特許文献１に記載の認印と訂正印を有する筆記具は、キャップに訂正印を設けているためにキャップが必須であり、筆記体の出没機構を有する筆記具のようにキャップを有さない筆記具では、例えば認印と訂正印のように２種類の印鑑を設けた印鑑付筆記具はなかった。
そこで、本発明は、キャップの有無に関係なく筆記具に２種類の印鑑を設けることができる印鑑付筆記具を提供するものである。
【課題を解決するための手段】
【０００４】
本発明は、上記課題を解決するために、筆記具本体の後端に第１印鑑を設け、該第１印鑑を覆う筒体を前記筆記具本体の後端部に着脱自在に連設してあり、前記筒体の後端に液浸透印式の第２印鑑を設けると共に、該第２印鑑を覆う蓋体を設けた印鑑付筆記具を提供するものである。
【０００５】
また、本発明は、前記第１印鑑が訂正印である請求項１に記載の印鑑付筆記具を提供するものである。
【０００６】
また、本発明は、前記第１印鑑が液浸透印である請求項２に記載の印鑑付筆記具を提供するものである。
【０００７】
また、本発明は、前記第１印鑑が認印である請求項１に記載の印鑑付筆記具を提供するものである。
【発明の効果】
【０００８】
以上の通り、本発明に係る印鑑付筆記具によれば、筆記具本体の後端に第１印鑑を設け、該第１印鑑を覆う筒体を前記筆記具本体の後端部に着脱自在に連設してあり、前記筒体の後端に液浸透印式の第２印鑑を設けると共に、該第２印鑑を覆う蓋体を設けた構成を有することにより、キャップの有無に関係なく筆記具に第１印鑑と第２印鑑の２つの印鑑を設けることができ、一本の筆記具に筆記具の機能は勿論のこと、種類の異なる印鑑を設けることによって、三様の機能を兼ね備えることができる効果がある。
【０００９】
また、本発明は、前記第１印鑑が訂正印である請求項１に記載の構成を有することにより、液浸透印と訂正印を一つの筆記具に設けることができ、一本の筆記具で筆記具の機能の他に、液浸透印と訂正印の機能をも兼ね備えることができる効果がある。
【００１０】
また、本発明は、前記第１印鑑が液浸透印である請求項２に記載の構成を有することにより、朱肉を必要としないから、何時でも何処でも容易に訂正印を押印することができる効果がある。
【００１１】
また、本発明は、前記第１印鑑が認印である請求項１に記載の構成を有することにより、液浸透印と認印を一つの筆記具に設けることができ、一本の筆記具で筆記具の機能の他に、液浸透印と認印の機能をも兼ね備えることができる効果がある。
【発明を実施するための最良の形態】
【００１２】
本発明の実施の形態を図示する実施例に基づいて説明する。
本発明に係る印鑑付筆記具は、筆記具本体１の後端に第１印鑑２を設け、該第１印鑑２を覆う筒体４を前記筆記具本体１の後端部に着脱自在に連設してあり、前記筒体４の後端に液浸透印式の第２印鑑３を設けると共に、該第２印鑑３を覆う蓋体５を設けてある。
【実施例１】
【００１３】
図１及び図２に示す実施例において、筆記具は、筆記具本体１にボールペンの芯６を出没可能に設けたボールペンである。筆記具本体１は、相互に回転自在に設けた上部本体１ａと下部本体１ｂとからなり、上部本体１ａを下部本体１ｂに対して正逆回転させることにより、出没機構１１によってボールペンの芯６が前進又は後退して、筆記具本体１の先端から出没するようにしてある。
なお、筆記具は、図示の実施例のようにボールペンに限定されるものでなく、万年筆、シャープペンシル等の他の筆記具でもよい。
【００１４】
図１及び図２に示す実施例において、第１印鑑２は液浸透印式の訂正印であり、取付部材７により筆記具本体１の後端に固設してある。そして、第１印鑑２は、筆記具本体１の後端部に着脱自在に連設した筒体４によって覆われており、通常の筆記作業時には、筆記具本体１及び筒体４を把持してボールペンとして使用することができる。一方、筆記作業をしていて記載ミスをしたときには、筆記具本体１の後端部から筒体４を取り外すことにより、液浸透印式の訂正印である第１印鑑２によって、何ら朱肉を必要とすることなく簡便に訂正印を押印することができるように構成してある。
【００１５】
また、筒体４にはクリップ１２を設けてあり、衣服のポケット等に装着することができるようにしてある。図示しないが、筒体４の先端部内周に環状の板バネを設けることにより、筒体４を筆記具本体１の後端部に強固に装着して、筒体４から筆記具本体１が脱落するのを防止することも可能である。
【００１６】
第２印鑑３は、一般的なサイズの液浸透印であり、取付部材８により筒体４の後端に固設してある。この第２印鑑３には、蓋体５を着脱可能に設けてある。また、蓋体５の天板部には通気孔９を設けてあり、蓋体５と第２印鑑３に囲まれた空間の気圧を外気圧と同じに保つことにより、軽い操作力で蓋体５を着脱することができるようにしてある。押捺が必要なときには、蓋体５を取り外すことにより、液浸透印式の第２印鑑３によって何ら朱肉を必要とすることなく簡便に押捺することができるように構成してある。
【実施例２】
【００１７】
図３に示す実施例において、第１印鑑は認印１０であり、取付部材７により筆記具本体１の後端に固設してある。液浸透印が使用できず朱肉を使用した認印が必要なときには、筆記具本体１の後端部から筒体４を取り外すことにより、朱肉を使用して認印１０を押印することができる。その他の構成は、実施例１の構成と同様である。
また、筒体４内に朱肉を設けることにより、認印１０に容易に朱肉を付けることができるように構成することも勿論可能である。なお、第１印鑑は訂正印でもよく、筆記具本体１に着脱自在に設けることも可能である。
【図面の簡単な説明】
【００１８】
【図１】本発明印鑑付筆記具の一実施例の要部を切断して示す正面図
【図２】その一実施例を示す分解斜視図
【図３】他の実施例の要部を切断して示す正面図
【符号の説明】
【００１９】
１  筆記具本体
１ａ  上部本体
１ｂ  下部本体
２  第１印鑑
３  第２印鑑
４  筒体
５  蓋体
６  ボールペンの芯
７，８  取付部材
９  通気孔
１０  認印
１１  出没機構
１２  クリップ
【図１】
2005169756.tif 000003
【図２】
2005169756.tif 000004
【図３】
2005169756.tif 000005